(57)【要約】  本発明は、クリーンエネルギー生成のためにガス燃焼効率を最適化するためのシステム、方法及び装置に関し、磁性核３０と、入口及び出口ダクト４１ａ、４２ａと、を備える。入口及び出口ダクト４１ａ、４２ａは気体を受け入れるように構成され、気体は、入口ダクト４１ａと出口ダクト４２ａとの間及びその逆の流れを交互に確立し、磁性核３０は、磁場３５を発生して入口及び出口ダクト４１ａ、４２ａ内で気体を磁場３５に曝すように構成される。入口及び出口ダクト４１ａ、４２ａの間の交互の流れ及び磁場３５への曝露は、水素原子並びに酸素及びアルゴンのイオンの加速を促進し、その核の周りでの水素の電子の軌道半径の減少を促進し、電子の位置エネルギーの放出及びこれに応じた気体分子の核の運動エネルギーの増大を生じて、気体２０１、２０２の加熱力を最適化（増大）する。
2019504272.tif 000002
【特許請求の範囲】
【請求項１】
クリーンエネルギー生成のためにガス燃焼効率を最適化するための装置（１）であって、
磁性核（３０）と、
入口及び出口ダクト（４１ａ、４２ａ）と、
を備え、
前記入口及び出口ダクト（４１ａ、４２ａ）が気体（２０１）を受け入れるように構成され、前記気体（２０１）が、前記入口ダクト（４１ａ）と前記出口ダクト（４２ａ）との間及びその逆の流れを交互に確立し、前記磁性核（３０）が、磁場（３５）を発生して、前記入口及び出口ダクト内で前記気体（２０１）を磁場（３５）に曝すように構成され、
前記入口ダクト及び出口ダクト（４１ａ、４２ａ）の間の交互の流れ及び磁場（３５）への曝露が、前記気体（２０１）の動的膨張及び熱膨張並びに磁気曝露を促進する、
ことを特徴とする、クリーンエネルギー生成のためにガス燃焼効率を最適化するための装置（１）。
【請求項２】
前記入口及び出口ダクト（４１ａ、４２ａ）が、前記磁性核（３０）の外面の周りに隣接して延びる、ことを特徴とする、請求項１に記載のクリーンエネルギー生成のためにガス燃焼効率を最適化するための装置（１）。
【請求項３】
前記入口及び出口ダクト（４１ａ、４２ａ）が、前記磁性核（３０）の外面の周りに隣接して螺旋状に延びる、ことを特徴とする、請求項１に記載のクリーンエネルギー生成のためにガス燃焼効率を最適化するための装置（１）。
【請求項４】
各入口及び出口ダクト（４１ａ、４２ａ）が、前記磁性核（３０）の前記外面の周りに３６０度の少なくとも３回転を有する、ことを特徴とする、請求項３に記載のクリーンエネルギー生成のためにガス燃焼効率を最適化するための装置（１）。
【請求項５】
前記入口及び出口ダクト（４１ａ、４２ａ）が、可変的な強さ、向き、方向及び極性の前記磁性核によって生成された最大数の磁場（３５）により前記気体（２０１）の曝露を強化するサイズを有する、ことを特徴とする、請求項１〜４のいずれか１項に記載のクリーンエネルギー生成のためにガス燃焼効率を最適化するための装置（１）。
【請求項６】
前記磁場（３５）が、前記気体（２０１）の原子の移動に対して直角に作用する、ことを特徴とする、請求項１〜５のいずれか１項に記載のクリーンエネルギー生成のためにガス燃焼効率を最適化するための装置（１）。
【請求項７】
前記磁性核（３０）が３本の磁気バー（３１）を有し、前記バー（３１）が、前記磁気バー（３１）の内部に配列された希土類金属の磁石の磁気要素（３１ａ）とギャップ（３１ｂ）とを備え、且つ、可変的な強さ、向き、方向及び極性の磁場を発生するように構成される、ことを特徴とする、請求項１〜６のいずれか１項に記載のクリーンエネルギー生成のためにガス燃焼効率を最適化するための装置（１）。
【請求項８】
前記磁気要素（３１ａ）がネオジム-鉄-ホウ素Ｎｄ-Ｆｅ-Ｂの合金から作られる、ことを特徴とする、請求項７に記載のクリーンエネルギー生成のためにガス燃焼効率を最適化するための装置（１）。
【請求項９】
各バー（３１）が３２の磁気要素（３１ａ）を備える、ことを特徴とする、請求項７又は８に記載のクリーンエネルギー生成のためにガス燃焼効率を最適化するための装置（１）。
【請求項１０】
前記磁気要素（３１ａ）が、前記磁性核（３０）内部において最高９５０テスラ及び前記磁性核（３０）の外面において最高１,５００テスラの強さの磁場（３５）を発生する、ことを特徴とする、請求項７〜９のいずれか１項に記載のクリーンエネルギー生成のためにガス燃焼効率を最適化するための装置（１）。
【請求項１１】
前記磁気バー（３１）が、前記バー（３１）の中心の間に約１２０°（度）の角度を形成するように交互に配列される、ことを特徴とする、請求項７〜１０のいずれか１項に記載のクリーンエネルギー生成のためにガス燃焼効率を最適化するための装置（１）。
【請求項１２】
前記動的膨張が、前記気体（２０１）が膨張室（１０）を通過して流れるとき前記入口ダクト及び出口ダクト（４１ａ、４２ａ）の間の交互の流れによって生じる、ことを特徴とする、請求項１〜１１のいずれか１項に記載のクリーンエネルギー生成のためにガス燃焼効率を最適化するための装置（１）。
【請求項１３】
前記熱膨張が、前記気体（２０１）が加熱塔（２０）を通過して流れるとき前記入口ダクト及び出口ダクト（４１ａ、４２ａ）の間の交互の流れによって生じる、ことを特徴とする、請求項１〜１１のいずれか１項に記載のクリーンエネルギー生成のためにガス燃焼効率を最適化するための装置（１）。
【請求項１４】
前記加熱塔（２０）が、前記膨張室（１０）の外面に対して同心的に接続される、ことを特徴とする、請求項１３に記載のクリーンエネルギー生成のためにガス燃焼効率を最適化するための装置（１）。
【請求項１５】
前記加熱塔（２０）が、５５℃〜６５℃の範囲で作動するように構成される、ことを特徴とする、請求項１３又は１４に記載のクリーンエネルギー生成のためにガス燃焼効率を最適化するための装置（１）。
【請求項１６】
前記加熱塔（２０）が、環状電気抵抗である、ことを特徴とする、請求項１３〜１５のいずれか１項に記載のクリーンエネルギー生成のためにガス燃焼効率を最適化するための装置（１）。
【請求項１７】
前記動的膨張及び熱膨張が、前記気体（２０１、２０２）の圧力の低下並びに体積及び温度の上昇を生じる、ことを特徴とする、請求項１〜１６のいずれか１項に記載のクリーンエネルギー生成のためにガス燃焼効率を最適化するための装置（１）。
【請求項１８】
前記気体（２０１、２０２）の前記動的膨張及び熱膨張が、前記装置（１）によって少なくとも６回実施される、ことを特徴とする、請求項１〜１６のいずれか１項に記載のクリーンエネルギー生成のためにガス燃焼効率を最適化するための装置（１）。
【請求項１９】
前記気体（２０１）が酸水素とイオン化空気との混合物である、ことを特徴とする、請求項１〜１８のいずれか１項に記載のクリーンエネルギー生成のためにガス燃焼効率を最適化するための装置（１）。
【請求項２０】
酸水素が電解槽（２００）によって生成される、ことを特徴とする請求項１９に記載のクリーンエネルギー生成のためにガス燃焼効率を最適化するための装置（１）。
【請求項２１】
最適化された気体（２０２）が機械エネルギー発生装置（３００）によって使用される、ことを特徴とする、請求項１〜２０のいずれか１項に記載のクリーンエネルギー生成のためにガス燃焼効率を最適化するための装置（１）。
【請求項２２】
前記入口及び出口ダクト（４１ａ、４２ａ）が入口及び出口ダクトのセット（４１、４２）を形成する、ことを特徴とする、請求項１に記載のクリーンエネルギー生成のためにガス燃焼効率を最適化するための装置（１）。
【請求項２３】
前記気体（２０１）が前記入口ダクト（４１ａ）のうち単一の入口ダクトによって受け入れられる、ことを特徴とする、請求項２２に記載のクリーンエネルギー生成のためにガス燃焼効率を最適化するための装置（１）。
【請求項２４】
最適化された気体（２０２）が前記出口ダクト（４２ａ）のうち単一の出口ダクトへ流れる、ことを特徴とする、請求項２３に記載のクリーンエネルギー生成のためにガス燃焼効率を最適化するための装置（１）。
【請求項２５】
クリーンエネルギー生成のためにガス燃焼効率を最適化するための装置（１）であって、
膨張室（１０）と、
加熱塔（２０）と、
磁性核（３０）と、
入口ダクト（４１）のセットと、
出口ダクト（４１）のセットと、
を備え、
前記入口及び出口ダクトのセット（４１、４２）が、前記磁性核（３０）の外面の周りに隣接して延びる複数の入口及び出口ダクト（４１ａ、４２ａ）を備え、前記入口及び出口ダクトのセット（４１、４２）が前記磁性核（３０）に対して同心であり、
前記入口ダクトのセット（４１）が前記膨張室（１０）との間に流体連通を及び前記加熱塔（２０）との間に熱連通を確立し、前記膨張室（１０）が前記出口ダクトのセット（４２）との間に流体連通を確立し、前記出口ダクトのセット（４２）が前記入口ダクトのセット（４１）との間に流体連通を確立して、
前記入口及び出口ダクト（４１ａ、４２ａ）が気体（２０１）を受け入れて、前記気体（２０１）が前記入口ダクト（４１ａ）と前記出口ダクト（４２ａ）との間及びその逆の流れを交互に確立し、前記磁性核（３０）が、磁場（３５）を発生して前記入口及び出口ダクト（４１ａ、４２ａ）内において前記気体（２０１）を磁場（３５）に曝すように構成され、
前記入口ダクト及び出口ダクト（４１ａ、４２ａ）の間の交互の流れが、前記気体（２０１）が前記膨張室（１０）を通過して流れるとき前記気体（２０１）の動的膨張を、及び、前記気体（２０１）が前記加熱塔（２０）を通過して流れるとき前記気体（２０１）の熱膨張を、及び、前記磁性核（３０）によって発生した磁場（３５）への前記気体（２０１）の曝露を、促進する、
ことを特徴とする、クリーンエネルギー生成のためにガス燃焼効率を最適化するための装置（１）。
【請求項２６】
クリーンエネルギー生成のためにガス燃焼効率を最適化するためのシステムであって、
クリーンエネルギー生成のためにガス燃焼効率を最適化するための装置（１）と、
機械エネルギー発生装置（３００）と、
を備え、
前記クリーンエネルギー生成のためにガス燃焼効率を最適化するための装置（１）が、入口及び出口ダクト（４１ａ、４２ａ）と磁性核（３０）とを備え、
前記入口及び出口ダクト（４１ａ、４２ａ）が、気体（２０１）を受け入れるように構成され、前記気体（２０１）が、前記入口ダクト（４１ａ）と前記出口ダクト（４２ａ）との間及びその逆の流れを交互に確立し、前記磁性核（３０）が、磁場（３５）を発生して前記入口及び出口ダクト（４１ａ、４２ａ）内で前記気体（２０１）を磁場に曝すように構成され、
前記入口ダクト及び出口ダクト（４１ａ、４２ａ）の間の交互の流れ及び前記磁場（３５）への曝露が、前記気体（２０１）の動的膨張及び熱膨張並びに磁気曝露を促進し、
最適化された気体（２０２）が前記機械エネルギー発生装置（３００）へ流れる、
ことを特徴とする、クリーンエネルギー生成のためにガス燃焼効率を最適化するためのシステム。
【請求項２７】
クリーンエネルギー生成のためにガス燃焼効率を最適化するためのシステムであって、
クリーンエネルギー生成のためにガス燃焼効率を最適化するための装置（１）と、
機械エネルギー発生装置（３００）と、
を備え、
前記クリーンエネルギー生成のためにガス燃焼効率を最適化するための装置（１）が、磁性核（３０）の外面の周りに隣接して延びる複数の入口及び出口ダクト（４１ａ、４２ａ）を有する入口及び出口ダクトのセット（４１、４２）を備え、前記入口及び出口ダクトのセット（４１、４２）が、前記磁性核（３０）に対して同心であり、
前記入口ダクトのセット（４１）が、膨張室（１０）との間に流体連通を及び加熱塔（２０）との間に熱連通を確立し、前記膨張室（１０）が前記出口ダクトのセット（４２）との間に流体連通を確立し、前記出口ダクトのセット（４２）が前記入口ダクトのセット（４１）との間に流体連通を確立して、
前記入口及び出口ダクト（４１ａ、４２ａ）が気体（２０１）を受け入れ、前記気体（２０１）が、前記入口ダクト（４１ａ）と前記出口ダクト（４２ａ）との間及びその逆の流れを交互に確立し、前記磁性核（３０）が磁場（３５）を生成して前記入口及び出口ダクト（４１ａ、４２ａ）内で前記気体（２０１）を磁場（３５）に曝すように構成され、
前記入口及び出口ダクト（４１ａ、４２ａ）の間の交互の流れが、前記気体（２０１）が前記膨張室（１０）を通過して流れるとき前記気体（２０１）の動的膨張を、前記気体（２０１）が前記加熱塔（２０）を通過して流れるとき前記気体（２０１）の熱膨張を、及び、前記磁性核（３０）によって発生した磁場（３５）への前記気体（２０１）の曝露を、促進し、
最適化された気体（２０２）が前記機械エネルギー発生装置（３００）へ流れる、
ことを特徴とする、クリーンエネルギー生成のためにガス燃焼効率を最適化するためのシステム。
【請求項２８】
クリーンエネルギー生成のためにガス燃焼効率を最適化するための方法であって、
−気体（２０１）を動的に膨張するように、入口ダクト（４１ａ）と出口ダクト（４２ａ）との間及びその逆の気体（２０１）の流れを交互に確立するステップと、
−前記入口ダクト（４１ａ）と前記出口ダクト（４２ａ）との間を流れるたびに前記気体（２０１）を熱膨張させるステップと、
−前記入口ダクト（４１ａ）と前記出口ダクト（４２ａ）との間及びその逆に流れるたびに、前記気体（２０１）を磁気的に磁場（３５）に曝すステップと、
を含むことを特徴とする、クリーンエネルギー生成のためにガス燃焼効率を最適化するための方法。
【請求項２９】
クリーンエネルギー生成のためにガス燃焼効率を最適化するための方法であって、
−磁性核（３０）の外面の周りに隣接して入口及び出口ダクトのセット（４１、４２）を配列するステップと、
−前記入口ダクトのセット（４１）と膨張室（１０）との間に流体連通を、及び、加熱塔（２０）との間に熱連通を確立するステップと、
−前記膨張室（１０）と前記出口ダクトのセット（４２）との間に流体連通を確立するステップと、
−前記出口ダクトのセット（４２）と前記入口ダクトのセット（４１）との間に流体連通を確立するステップと、
−前記入口ダクトのセット（４１）の中へ気体（２０１）を注入するステップと、
−前記気体（２０１）を動的に膨張するように、入口ダクト（４１ａ）と出口ダクト（４２ａ）との間及びその逆の気体（２０１）の流れを交互に確立するステップと、
−前記入口ダクト（４１ａ）と前記出口ダクト（４２ａ）との間に流れるたびに前記気体（２０１）を熱膨張するステップと、
−前記入口ダクト（４１ａ）と前記出口ダクト（４２ａ）との間及びその逆に流れるたびに前記気体（２０１）を磁気的に磁場（３５）に曝すステップと、
を含むことを特徴とする、クリーンエネルギー生成のためにガス燃焼効率を最適化するための方法。
【発明の詳細な説明】
【技術分野】
【０００１】
本発明は、環境保全技術、具体的には代替的「クリーン」かつ「グリーン」なエネルギーの分野に属する。具体的には、本発明は、水素を燃料とする車両又は既存の動力車に使用できる非汚染ガスを生成する燃料電池を使用して、化石燃料の使用を最適化された酸水素（ＨＨＯ）の混合物に代える。
【０００２】
本発明は、その組成の中に水素を含有する気体、特に酸水素ガス（ＨＨＯ）の混合物から、クリーンエネルギーを生成するためにガス燃焼効率を最適化するためのシステム、方法及び装置に関する。
【０００３】
本発明は、水素ガスの燃焼効率の著しい向上を促進するために、並びに、内燃機関、発電機及びタービンなどの熱エネルギーを他のタイプのエネルギーに変換する異なる装置と共にこれを使用するために、開発された。本発明はまた、炉又はボイラーなどの加熱又は蒸気生成のために熱エネルギーを使用する装置と共に使用できる。
【０００４】
エネルギー源としての水素の使用は、クリーン、低コストかつ豊富なエネルギーである代替源に対する緊急の要求に応える可能性を有する。水素の燃焼プロセスが水蒸気しか生じないことを考慮に入れると、水素は、炭化水素の燃焼の代わりに使用するための実用的な代替源であることが分かる。水素の燃焼は、汚染ガスいわゆる温室効果ガスの放出を完全に排除し、これが提案する発明の基本的目的である。
【背景技術】
【０００５】
気候系における壊滅的干渉を避けるために温室効果ガスの大気濃度を安定化することは、２１世紀の大きな課題である。化石燃料の燃焼から生じるＣＯ2排出は、人間が生み出す現在の温室効果ガス排出全体の約７８％を占める（ＩＰＣＣ報告）。その緩和及びクリーンエネルギーへの根本的移行の政策がなければ、排出の増大は持続し、その結果、今世紀末までには気温は３.７℃〜４.８℃上昇するだろう。このシナリオの環境への影響の可能性及び規模、並びに、社会的、経済的及び世界地理人口的性質、に関する科学者による警告の重大性を理解する必要がある。
【０００６】
２０１４年、再生可能エネルギー源は、過去２０年間にこの分野に膨大な投資が行われたにもかかわらず、世界で消費されたエネルギー全体のわずか３％しか占めていない。化石燃料が支配的であり、世界のエネルギー需要の８５％超えを供給している（２０１５年世界のエネルギーに関するＢＰ統計的検証）。
【０００７】
ＵＳ国際エネルギー機関の見積もりによれば、エネルギーの世界的需要は、人口増加に世界的な購買力の向上及び国際的な貧困との闘いの努力が加わって、２０４０年までに５０％以上増大する。国連によれば、１３億人以上の人々が、まだ電気を利用できず、１０億人以上が、不確かな配電網しか利用できない。エネルギーの民主化及び万人の電気利用可能性は、経済開発の新たなサイクルを得るために必須である。
【０００８】
現在、最大エネルギー源は、ＣＯ2の最大発生源でもある。世界の気候に対するＣＯ2排出の正確な影響は、まだ不確定であるが、科学者の総意は、問題への関与はほとんどないにも関わらず、最貧困の人々が世界的温暖化の極端な影響に対して最も無防備であることを示している。
【０００９】
２０１５年、ＣＯＰ２１（パリ気候変動会議）は、１８７か国の排出を減少するための公約を含む前例のない包括的合意を得た。この合意の結果、世界的温暖化を２℃未満のレベルに維持するために、次の２０年間の気候の取り組みを再規定する重要なターニングポイントとなった。
【００１０】
次の数十年間に必要とされるエネルギーは、低コストでなければならないだけでなく、今世紀の気候の課題は、クリーンテクノロジーへの急速な移行を要求する。本発明の大きな潜在的応用分野の１つは、世界で最大の電気供給源である火力発電機、及び、電気配給網を利用できないコミュニティのための再生可能エネルギーの自律的システム、の両方における発電分野である。
【００１１】
輸送分野は、現在、最も化石燃料に依存する分野である。この市場は、燃料効率の改善に対する政府の奨励策によって、及び、より持続可能な車両代替物に対する消費者の要請の結果としても、急速に改良されてきた。ガソリン又はディーゼルを使用する自動車は、世界的には約９８％を占める。電気自動車及び燃料電池を使用する車などの技術的開発に、近年、力が注がれてきた。これにもかかわらず、世界全体におけるこれらの存在は未だに僅かである。最後に、バッテリに電気を蓄積する電気自動車も、バッテリに蓄積される電気エネルギーがどのように生成されるかに応じて、潜在的汚染者であり、温室効果ガス排出の減少との闘いに関して無力であり続ける。
【００１２】
磁場に曝すことによる燃料（概ね、液体）の燃焼の効率を上げることを目的とする装置に関する特許文献は何百もある点は触れられなければならない。但し、既存の解決策の効果の低さの最大の証拠は、これらのどれも現在までのところ妥当なパブリックアクセプタンスと言う点で成功していないと言う事実である。この主張を裏付けるのは、その出現から数十年も経った今日でも、より経済的でより汚染の少ない車両を生産すると言う及び汚染ガスの排出に関する厳しく増大する法令に応えると言う自動車業界の膨大な誓約にもかかわらず、工場から出荷されるどの車両もこれらの解決策を伴っていないと言う事実である。
【００１３】
このような解決策の例が、燃料の燃焼を改良することを目的とする流体の磁気処理のための装置に関する、米国特許第８４４４８５３号明細書において説明される。しかし、この文献は、本発明において提案するような水素の燃焼については説明又は示唆していないことが分かる。
【００１４】
他の解決法は、燃料燃焼を改良するための流体の磁気処理に関する、米国特許第５６３７２２６号明細書及び米国特許第５９４３９９８号明細書において説明される。同様に、これらの文献は、本発明が提案するような水素の燃焼を説明又は示唆していないことが分かる。
【００１５】
同様に、米国特許第６８５１４１３号明細書、米国特許出願第２０１４／０１４４８２６号明細書、米国特許出願第２００８／０２９００３８号明細書、米国特許第５９４３９９８号明細書、米国特許第５１６１５１２号明細書、米国特許第４３７２８５２号明細書、米国特許第４５６８９０１号明細書及び米国特許第４９９５４２５号明細書は、燃料燃焼を改良することを目的とする燃料の磁気処理に言及する。しかし、これらの解決策は、本発明において提案するような水素の燃焼について説明又は示唆していないことが分かる。
【００１６】
上述の文献において説明される装置は、大規模な応用分野を有する可能性があるが、これらの装置は、内燃機関におけるレドックス（燃焼）の効率を上げることによって伝統的な化石燃料の消費を控えめに減少すると言う目的しか持たない。引用される効率向上の範囲（典型的には１０％未満）は、これらの装置が大規模な商業的応用（新車への装備か予備部品市場（アフターマーケット）かにかかわらず）においては実質的に存在しないことで実証されるように、実用的にはほとんど確認されない。
【００１７】
米国特許文献特許第６０２４９３５号明細書は、水素をベースとする熱エネルギー生成に言及し、本発明の土台を形成するものと類似する原則源を有する。しかし、これは、高温での作動及び精密な機械的組立に関して複雑な工程を含み、触媒として占有化学化合物を使用し、本発明に比べてコスト高なので、その実現及び再生を非常に困難にする。これらの主張は、その公開からほぼ２０年経った今日まで、これが商業運転への参入に成功していないと言う事実で立証される。
【００１８】
したがって、化石燃料の使用の控えめな減少の可能性だけでなく、実質的な減少（３０％以上）又は燃焼によって水蒸気しか生成しない水素などのクリーン燃料による化石燃料（一連の炭化水素全体）の完全な交替さえ目的とする本発明が、確実に必要である。
【００１９】
上述のことから、本発明は、燃料（概して、液体）の燃焼効率を向上するために磁場を使用する他の無数の特許文献とは一線を画すことが分かる。より、具体的には、本発明は、現状技術において行われることに反して、具体的には気体を扱うものであり、気体はその組成に水素を含有する。
【００２０】
本発明は、エネルギー効率の向上の規模を最大化して、燃焼可能な気体がその後のレドックスプロセスにおいて使用できるまで充分な時間、得られた向上を安定して維持するために、可変的な強さ、向き、方向及び極性の磁場へのこれらの気体の分子の持続的かつ反復的な曝露を促進し、この曝露を運動の加速、体積膨張及び温度上昇のプロセスと組み合わせ、このコンディショニングサイクルを充分な回数反復する点を強調することが重要である。
【００２１】
現状技術の問題を解決するために、本発明の対象である装置が、下で述べるように原子モデル及び量子熱力学の知識に基づいて開発された。
【００２２】
１９１３年、デンマークの物理学者Ｎｉｅｌｓ  Ｂｏｈｒは、Ｒｕｔｈｅｒｆｏｒｄによって以前提案された原子モデルを説明する理論を開発した。この新規のモデルは、物質の安定性及び各元素における規定された半径のスペクトルの放出を説明するためにＭａｘ  Ｐｌａｎｃｋの量子理論を考慮に入れる。Ｂｏｈｒモデルは、静電力により行使される引力によって核の周りの円形軌道を流れる電子によって取り囲まれる正の電荷を有する核として原子を説明する。
【００２３】
このモデルは、より重い原子については瑕疵があるが、水素の放出スペクトル及び吸収などの現象については完ぺきに説明する。水素は、宇宙において特有の原子であり、存在する最も単純な原子である。即ち、その原子核はただ１つの陽子を有し、ただ１つの電子がこの原子核の周りに軌道を描く。水素原子の明らかな安定性及びこの元素のスペクトル線系列の存在の出現も説明するために、Ｂｏｈｒは、いくつかの「公準」を提案した。
【００２４】
１）電子は、衛星が惑星の周りを移動するように、円形の軌道で原子核の周りを移動し、反対記号を有する電荷の間の電気引力を費やしてこの軌道を維持する。
【００２５】
２）電子の円形軌道は、任意の半径を持てない。特定の値のみが軌道の半径として許容される。
【００２６】
３）許容された各軌道において、電子は、Ｅ＝Ｅ１／ｎ２で表される、一定の明確に定義されたエネルギーを有する。この式において、Ｅ１は、最小半径軌道のエネルギーである。Ｂｏｈｒは、Ｅ１について１つの公式を示した。即ち、この式において負の記号に関しては、“ｎ”がより小さければ、軌道はより内側となり（半径が小さい）、電子のエネルギーはよりマイナスになる。物理学者は、空間のある領域に何かがリンクされ「閉じ込められる（confined）」ことを示すために負のエネルギーを使用する。
【００２７】
４）電子が許容された軌道の１つの上にあるとき、電子は一切のエネルギーを放出しないし受け取らない。
【００２８】
５）電子が軌道を変えると、原子は、「特定量」のエネルギーを放出又は吸収する。様々な科学者が様々なレベルにおいてこの遷移を研究してきた。
【００２９】
場の量子論（ＱＦＴ）は、無限大数の自由度を有する量子物理システムを説明するために使用される１組の概念及び数学的技法である。この理論は、素粒子物理学、宇宙論及び物性物理学などのいくつかの物理学の分野において使用される理論構造を与える。
【００３０】
場の量子論の原型は、量子電磁力学（伝統的にＱＥＤ（Quantum Electrodynamics）と略される）であり、基本的に陽子の放出及び吸収による電荷粒子の相互作用を説明する。
【００３１】
この理論的枠組み内で、電磁的相互作用の他に、弱い相互作用及び強い相互作用が場の量子論によって説明される。これらの相互作用は結合して、標準モデルとして知られるものを形成する。これは、物質を構成する粒子（クオーク及びレプトン）、並びに、本発明の磁性核によって使用される磁場などの基本的な場の励起などの力の媒介粒子、の両方を考慮する。
【００３２】
（水素の）原子の中に存在する総エネルギーは、式ＥT＝ＥP＋ＥKで示される。この式において、ＥT＝総エネルギー、ＥP＝位置エネルギー及びＥK＝運動エネルギーである。位置エネルギーＥPは、原子核（水素の場合、単一陽子の原子核）の周りの電子の軌道の半径の関数であり、運動エネルギーＥKは、原子の核の移動速度の合成ベクトルの関数である。
【００３３】
科学の世界ではまだ全般的な承認が欠けているが、水素がこれまで可能と想像されていた（又はその基底レベル、即ち電子が主粒子数ｎ＝１の軌道上にある）より低いエネルギー状態に存在し得ることを明確にかつ一貫して示唆する科学的調査の広範なデータがある（「異種ハイドリノ触媒を用いた商業化可能動力源」、Ｉｎｔｅｒｎａｔｉｏｎａｌ  Ｊｏｕｒｎａｌ  ｏｆ  Ｈｙｄｒｏｇｅｎ  Ｅｎｅｒｇｙ、ｖｏｌｕｍｅ  ３５、ｐ．３９５〜４１９、２０１０、Ｒ．Ｌ．Ｍｉｌｌｓ，Ｋ．Ａｋｈｔａｒ，Ｇ．Ｚｈａｏ，Ｚ．Ｃｈａｎｇ，Ｊ．Ｈｅ，Ｘ．Ｈｕ，Ｇ．Ｃｈｕ, http://dx.doi.org/10.1016/j.ijhydene.2009.10.038）。
【００３４】
基底レベルのエネルギー状態より低い水素（即ち、原子番号＜１の軌道）は、分数リュードベリ状態の原子水素とも呼ばれ、公式Ｈｆ（ｎ）で表され（この式において、ｎ＝１/２、１/３、１/４、・・・１/ｐ（ｐ≦１３７））、水素の励起状態に関するリュードベリ式において既知のパラメータｎ=整数に取って代わる。基底レベル状態より低い状態の水素は、自然状態の水素より位置エネルギーが小さく、その電子は、より高いエネルギー軌道から低いエネルギー軌道へ遷移するとき、１つ又は複数のエネルギー量子を放出し、その結果、エネルギー保存の原則（熱力学の第１法則）によって、原子の原子核の移動速度を加速する。
【００３５】
Ｒ．Ｌ．Ｍｉｌｌｓは、基底レベルより低いエネルギー状態への遷移プロセスは、触媒が存在するとき生じる、と言っている。触媒は、まず、電子の軌道半径の減少時に放出されたエネルギー量子を受け取って、その後、このエネルギー量子を他の実体、この場合には、水素原子自身の原子核へ移転する。Ｍｉｌｌｓによれば、好ましい環境において、触媒イオンと水素原子との間の衝突のたびに、電子は、原子番号の１レベルの低減に等しい軌道半径の減少を経験し、その既存の原子番号に対応する半径の軌道からすぐ下の原子番号に対応する隣接する半径の軌道へ移動する。Ｍｉｌｌｓはまた、移植媒体として働くいくつかの要素の中で、イオン化酸素（Ｏ++）は、水素原子と衝突するとき、このイオンが、単一量子レベルではなく水素電子の軌道半径において２量子レベルの低減を生じる能力を有することを立証する特定の独特な動きを有することも、強調している。即ち、酸素イオンは、例えば半径ｎ＝１/２の軌道を有する電子を、中間的なかつ隣のレベルのｎ＝１/３ではなく直ちに半径ｎ＝１/４の軌道へ移して、このプロセスにおいてより大きい量のエネルギーを放出することができる（電子の軌道において２量子レベルの低減に等しい）。
【００３６】
また、Ｒ．Ｌ．Ｍｉｌｌｓによると、異なる触媒は、下の表に示す例のように（数例のみであり、他にもいくつかある）、電子軌道の量子数の１又はそれ以上のレベルの低減を生じる異なる能力を有する。表において、欄ｍは、衝突ごとに触媒が生じる電子軌道の減少のレベル数を表す。
【００３７】
【表１】
2019504272.tif 000003
【００３８】
本発明は、電解水素及び電解酸素（酸水素−ＨＨＯ）並びにイオン化空気の混合物を、室温よりわずかに高い温度（約５５℃〜６５℃）、低い圧力（約６０ｍｍＨｇ）で、一貫して、安全でかつ低コストで、特定の特性の磁場、加速室、体積膨張、及び、水素原子及び本触媒のイオン（イオン化空気の中に在る電解酸素、酸素及びアルゴン）における熱交換の連続構成において、高強度の磁場及び電磁場を通過させて、水素原子のエネルギー状態を基底レベルより低い状態に低減させることによって、上述の教示を使用する。
【００３９】
上述の理論に基づいて、Ｈ2Ｏの分子を電解によってＨ2とＯ2に分離することによって、酸水素が生成されることが分かる。この気体を、本発明の対象である装置が使用する。この装置は、水素分子（又はもっと重い炭化水素の連鎖の中に在る水素）の正及び負の軌道の半径を、水素分子と酸素イオン（Ｏ++）及びアルゴンイオン（Ａｒ+）との衝突によって潜在的に変えることができる機能を有する。酸素イオン及びアルゴンイオンは、基底レベルより低い状態を含めてより低いエネルギー状態（ｎ＝１/２、１/３、１/４、・・・１/ｐ、ｐ≦１３７の分数量子数の軌道）への水素原子の移動プロセスにおいて触媒として作用する。この変化の結果、その遷移軌道において運動エネルギーに変換された位置エネルギーが放出され、これが、気体の体積の膨張を生じて、この状態の安定を瞬間的に維持する。
【００４０】
この変化は、例えば自動車の内燃機関の爆発室の入口ダクトへの出力に至るまでに、数個の入口ダクト及び出口ダクトを通過する気体の流れ、動的膨張及び熱膨張、並びに、磁気曝露によって、行われる。
【００４１】
動的膨張に関して、気体は、複数の入口及び出口ダクトを通過し、より小さい直径の孔を通過して、その水素分子及びイオン化空気の中の酸素及びアルゴンのイオンの移動を加速することが分かる。孔を通過して、気体は、より大きい直径及び体積を有するチェンバへ進入し、このチェンバにおいて、気体の分子は再び別のチェンバへ導かれ、ここで加熱される。その後、気体の分子は、引き続きダクト回路を通過し、別の孔を通過して、ここで、再び同じ加速、膨張及び熱交換のプロセスを経て、その出力まで継続する。
【００４２】
熱膨張に関して、水素が動的膨張室の中に在る孔を通過するとき、水素分子並びに酸素及びアルゴンのイオンの両方（この時点で混合される）が熱及び体積を増大するように（２つの元素の体積は加熱によって増大するので）、動的膨張室は約６０℃まで加熱される。この段階も、出力までのプロセスにおいて数回繰り返される。
【００４３】
磁気曝露に関して、水素原子は、磁力によって測定された＋及び−の軌道を有し、この軌道の半径は、そのエネルギーの利得及び損失を規定する。即ち、この軌道の周りでの磁気作用が大きければそれだけ、その半径の減少は大きく、その結果、軌道間の電子の遷移において放出されるエネルギー量は大きい。このために、気体は、複数の入口及び出口ダクトを通過し、孔から動的膨張室へ何度も入る。膨張のたびに、軌道は、各々１４磁場を有する３本の磁気バーに分割された、可変的な強度、向き、方向及び極性を有する４２の磁場を通過する。磁気バーは、本発明の対象である装置の磁性核の中に収容される。プロセスの効率を保証するために、水素電子は、水素原子並びに酸素及びアルゴンのイオンの加速を促進する磁場に曝され、そして、より大きい半径の軌道からより小さい半径の軌道への電子の移動時にエネルギーの量子の放出を生じ、且つ、電子の位置エネルギーが水素ガスの分子の核の運動エネルギーへと変換することを生じる、遷移プロセスを経る。
【００４４】
本発明を使用する主な利点において、本発明が、生成された酸水素をほとんど瞬時に使用する点を強調することが重要である。例えば、電解槽において、中間的貯蔵は必要ないので、高圧タンクで貯蔵された水素の燃焼を使用する現在市場で入手できる解決法に比べて、ずっと大きな安全とずっと複雑性の小さい装置が可能である。
【発明の概要】
【発明が解決しようとする課題】
【００４５】
本発明の第１の目的は、水素ガスの燃焼効率を実質的に向上して、その熱力を増大させ、機能的及び商業的目的を達成するために必要な体積量の気体を減少させることである。
【００４６】
第２の目的は、汚染ガス及び地球温暖化に関与する気体、特に化石燃料の燃焼に通常存在するＣＯ2及び窒素酸化物（ＮＯX）の排出を排除することである。本発明は、環境及び地球の生態系の保存を保証するためにクリーンで豊富なエネルギーを使用する。
【００４７】
第３の目的は、水素燃料を事前に貯蔵する必要をなくして、水素燃料の使用の安全性を増すことである。本発明の使用は、爆発の可能性のある高圧シリンダに水素ガスを貯蔵する必要がない。従来の電解槽によって生成された数グラムの水素がいくつかの用途において使用するのに充分であり、生成時に使用できるので、水素ガスの取り扱い及び貯蔵におけるリスクを排除できる。
【００４８】
第４の目的は、エンジン、発電機及びタービンなど、熱エネルギーを他のタイプのエネルギーに変換する設備と一緒に使用するためにクリーンな燃料を最適化する装置を提供することである。
【００４９】
第５の目的は、発電分野及び工業分野のためにクリーンな燃料を最適化する装置を提供することである。本発明は、炉又はボイラーなど、加熱又は蒸気生成のために熱エネルギーを使用する設備に使用できる。
【００５０】
第６の目的は、配電網の利用が限定される又はこれを利用できない地域におけるクリーンかつ自立可能なエネルギー源の利用可能性を民主化することである。潜在的受益者の中で配電網を現在利用できない人が世界に１８％いる。
【００５１】
第７の目的は、宇宙において最も豊富な元素であり惑星のあらゆる地域に広範に存在する水素に基づく経済への世界経済の移行を容易にしかつ加速することである。この燃料が容易に利用可能であれば、エネルギーの抽出及び分配のための複雑なインフラへの投資の必要性を抑制する。
【課題を解決するための手段】
【００５２】
本発明の目的は、磁性核並びに入口及び出口ダクトを備える、クリーンエネルギー生成のためにガス燃焼効率を最適化するための装置によって達成される。入口及び出口ダクトは、気体を受け入れるように構成され、気体は、入口ダクトと出口ダクトとの間及びその逆の流れを交互に確立する。磁性核は、磁場を発生して入口及び出口ダクト内で気体を磁場に曝すように構成される。入口ダクトと出口ダクトとの間の交互の流れ及び磁場への曝露は、気体の動的膨張及び熱膨張並びに磁気曝露を促進する。これは、水素原子並びにイオン化空気の中に在る酸素及びアルゴンのイオンを加速して、水素原子の電子の軌道半径を減少し、基底レベルより低いエネルギー状態に修正された水素の生成を促進する。
【００５３】
また、本発明の目的は、クリーンエネルギー生成のためにガス燃焼効率を最適化するための装置及び機械エネルギーの発生装置を備える、クリーンエネルギー生成のためにガス燃焼効率を最適化するためのシステムによって達成される。クリーンエネルギー生成のためにガス燃焼効率を最適化するための装置は、入口及び出口ダクトと、磁性核と、を有する。入口及び出口ダクトは、気体を受け入れるように構成され、気体は、入口ダクトと出口ダクトとの間及びその逆の流れを交互に確立する。磁性核は、磁場を発生して入口ダクト及び出口ダクト内で気体を磁場に曝すように構成される。入口ダクトと出口ダクトとの間の交互の流れ及び磁場への曝露は、気体の動的膨張及び熱膨張並びに磁気曝露を促進する。これによって、水素原子並びにイオン化空気の中に在る酸素及びアルゴンのイオンを加速して水素原子の電子の軌道半径を減少し、基底レベルより低いエネルギー状態に修正された水素の生成を促進する。基底レベルより低いエネルギー状態の修正水素は、機械エネルギー発生装置へ流れる。
【００５４】
更に、本発明の目的は、クリーンエネルギー生成のためにガス燃焼効率を最適化するための方法によって達成される。方法は、
−気体が動的に膨張するように、入口ダクトと出口ダクトとの間及びその逆の気体の交互の流れを確立するステップと、
−入口ダクトと出口ダクトとの間を流れるたびに気体を熱膨張させるステップと、
−入口ダクトと出口ダクトとの間及びその逆に流れるたびに気体を磁場に曝すステップと、
を含む。
【００５５】
本発明の目的は、クリーンエネルギー生成のためにガス燃焼効率を最適化するための装置によっても達成される。装置は、
膨張室と、
加熱塔と、
磁性核と、
入口ダクトのセットと、
出口ダクトのセットと、
を備え、
入口ダクト及び出口ダクトのセットは、磁性核の外面の周りに隣接して延びる複数の入口ダクト及び出口ダクトを有し、入口及び出口ダクトのセットは、磁性核に対して同心であり、入口ダクトのセットは、膨張室との間に流体連通を及び加熱塔との間に熱連通を確立し、膨張室は、出口ダクトのセットとの間に流体連通を確立し、出口ダクトのセットは、入口ダクトのセットとの間に流体連通を確立して、
入口ダクト及び出口ダクトは気体を受け入れ、気体は、入口ダクトと出口ダクトとの間及びその逆の流れを相互に確立し、磁性核は、磁場を発生して入口ダクト及び出口ダクト内で気体を磁場に曝すように構成され、入口ダクトと出口ダクトとの間の交互の流れは、気体が膨張室を通過して流れるとき気体の動的膨張を、気体が加熱塔を通過して流れるとき気体の熱膨張を、及び、磁性核によって発生した磁場への気体の曝露を、促進し、動的膨張及び熱膨張並びに磁気曝露は、水素原子並びにイオン化空気の中の酸素及びアルゴンのイオンを加速して、水素原子の電子の軌道半径を減少し、その結果、電子の位置エネルギーを減少し、これに応じて水素原子の核の運動エネルギーを増大する。
【００５６】
また、本発明の目的は、クリーンエネルギー生成のためにガス燃焼効率を最適化するためのシステムによっても達成される。システムは、
クリーンエネルギー生成のためにガス燃焼効率を最適化するための装置と、
機械エネルギー発生装置と、
を備え、
クリーンエネルギーの生成のためにガス燃焼効率を最適化するための装置は、磁性核の外面の周りに隣接して延びる複数の入口ダクト及び出口ダクトを有する、入口ダクト及び出口ダクトのセットを有し、入口ダクト及び出口ダクトのセットは磁性核に対して同心であり、入口ダクトのセットは、膨張室との間に流体連通を及び加熱塔との間に熱連通を確立し、膨張室は、出口ダクトのセットとの間に流体連通を確立し、出口ダクトのセットは、入口ダクトのセットとの間に流体連通を確立して、
入口ダクト及び出口ダクトは気体を受け入れ、気体は、入口ダクトと出口ダクトとの間及びその逆の流れを交互に確立し、磁性核は、磁場を発生して入口ダクト及び出口ダクト内で気体を磁場に曝すように構成され、入口ダクトと出口ダクトとの間の交互の流れは、気体が膨張室を通過して流れるとき気体の動的膨張を、気体が加熱塔を通過して流れるとき気体の熱膨張を、及び、磁性核によって発生した磁場への気体の曝露を、促進し、動的膨張及び熱膨張並びに磁気曝露は、水素原子並びにイオン化空気の中に在る酸素及びアルゴンのイオンを加速して、水素原子の電子の軌道半径を減少させて、その結果電子の位置エネルギーを減少させ、これに応じて水素原子の核の運動エネルギーを増大させて、最適化された気体は、その後機械エネルギー発生装置へ流れる。
【００５７】
最後に、本発明の目的は、クリーンエネルギー生成のためにガス燃焼効率を最適化するための方法によって達成される。方法は、
−磁性核の外面の周りに隣接して入口及び出口ダクトのセットを配置するステップと、
−入口ダクトのセットと膨張室との間に流体連通を及び加熱塔との間に熱連通を確立するステップと、
−膨張室と出口ダクトのセットとの間に流体連通を確立するステップと、
−出口ダクトのセットと入口ダクトのセットとの間に流体連通を確立するステップと、
−吸引によって入口ダクトセットの中への気体の進入を促進することと、
−気体を動的に膨張させるように、入口ダクトと出口ダクトとの間及びその逆の気体の流れを交互に確立するステップと、
−入口ダクトと出口ダクトとの間に流れるごとに気体を熱膨張させるステップと、
−入口ダクトと出口ダクトとの間及びその逆に流れるたびに気体を磁気的に磁場に曝すステップと、
を含む。
【００５８】
本発明について、下で図面に示す実施例に基づいて詳細に説明する。
【図面の簡単な説明】
【００５９】
【図１】本発明の対象であるクリーンエネルギー生成のためにガス燃焼効率を最適化するための装置の、組立て済みの図である。
【図２】本発明の対象であるクリーンエネルギー生成のためにガス燃焼効率を最適化するための装置の分解図であり、これを構成する各要素を詳細に示す。
【図３】本発明の対象であるクリーンエネルギー生成のためにガス燃焼効率を最適化するための装置の分解図であり、これを構成する各要素を詳細に示す。
【図４Ａ】本発明の対象であるクリーンエネルギー生成のためにガス燃焼効率を最適化するための装置を構成する入口ダクト及び出口ダクトのセットの上方斜視図である。
【図４Ｂ】本発明の対象であるクリーンエネルギー生成のためにガス燃焼効率を最適化するための装置を構成する入口ダクト及び出口ダクトのセットの上方斜視図である。
【図４Ｃ】本発明の対象であるクリーンエネルギー生成のためにガス燃焼効率を最適化するための装置を構成する入口ダクト及び出口のダクトセットの詳細図である。
【図４Ｄ】本発明の対象であるクリーンエネルギー生成のためにガス燃焼効率を最適化するための装置を構成する入口ダクト及び出口ダクトのセットの前面図である。
【図５Ａ】本発明の対象であるクリーンエネルギー生成のためにガス燃焼効率を最適化するための装置を構成する膨張室の斜視図である。
【図５Ｂ】本発明の対象であるクリーンエネルギー生成のためにガス燃焼効率を最適化するための装置を構成する膨張室の断面図である。
【図５Ｃ】本発明の対象であるクリーンエネルギー生成のためにガス燃焼効率を最適化するための装置を構成する膨張室の前面図である。
【図６Ａ】本発明の対象であるクリーンエネルギー生成のためにガス燃焼効率を最適化するための装置を構成する入口及び出口ガスの分配室の斜視図である。
【図６Ｂ】本発明の対象であるクリーンエネルギー生成のためにガス燃焼効率を最適化するための装置を構成する入口及び出口ガスの分配室の断面図である。
【図６Ｃ】本発明の対象であるクリーンエネルギー生成のためにガス燃焼効率を最適化するための装置を構成する入口及び出口ガスの分配室の側面図である。
【図６Ｄ】本発明の対象であるクリーンエネルギー生成のためにガス燃焼効率を最適化するための装置を構成する入口及び出口ガスの分配室の前面内部図である。
【図６Ｅ】本発明の対象であるクリーンエネルギー生成のためにガス燃焼効率を最適化するための装置を構成する入口及び出口ガスの分配室の前面内部図である。
【図７Ａ】本発明の対象であるクリーンエネルギー生成のためにガス燃焼効率を最適化するための装置を構成する磁性核の斜視図である。
【図７Ｂ】本発明の対象であるクリーンエネルギーを生成するためにガス燃焼効率を最適化するための装置を構成する磁性核の前面図である。
【図８】本発明の対象であるクリーンエネルギー生成のためにガス燃焼効率を最適化するための装置の要素である図７Ａ及び７Ｂにおいて示す磁性核を構成するバーの内部図である。
【図９】気体の磁気及び分子再編成並びに極性化のための、複数の入口ダクト及び出口ダクトと、磁性核のバーによって生成された可変的な強さ、向き、方向及び極性の最大数の磁場と、の間の相互作用の可視化である。
【図１０】本発明の教示に従った、クリーンエネルギー生成のためにガス燃焼効率を最適化するための装置の、外部供給源及び機械エネルギー発生装置への接続を明らかにする、本発明の対象であるシステムの概略図である。
【発明を実施するための形態】
【００６０】
背景技術において指摘した問題点を解決するために、クリーンエネルギー生成のためにガス燃焼効率を最適化するための装置１が開発された。装置１は、下に説明するように、ガス燃焼効率を最適化するためのシステムにおいて、ガス燃焼効率を最適化するための方法によって使用できる。
【００６１】
本発明の対象であるクリーンエネルギー生成のためにガス燃焼効率を最適化するための装置１は、核の周りの水素元素の電子の軌道半径を量子数≦１まで減少して、基底レベルより低いエネルギー状態の水素原子を生成し、これに応じて、気体分子の核の運動エネルギーを増大し、その消費の時までこの最適化効果を持続するように、水素系ガス２０１を最適化するために開発された。
【００６２】
好ましくは、気体２０１は、酸水素及び事前にイオン化された空気の混合物を含有する。明らかに、これは好ましい構成の場合であり、気体２０１は酸水素の混合物のみを含有できる。
【００６３】
装置１は、ガソリン、天然ガス、ＬＰＧ、バイオガス又は軽質炭化水素連鎖（オットーサイクル）若しくはディーゼル及びバイオディーゼル（ディーゼルサイクル）から得られるその他の気体、ボイラーバーナー又は工業用石炭炉に動力を与えるための船舶用エンジン、タービン、発電機、燃料オイル及び燃料電池などを用いる任意のタイプの従来の内燃機関に完璧に結合できる。上記のエンジンは、以後、総称的に機械エネルギー発生装置３００と呼ばれるが、これまでに使用された実施例に限定されない。
【００６４】
前述のように、クリーンエネルギー生成のためにガス燃焼効率を最適化するための装置１は、タンク又はその他のタイプの不要なコンテナにおける気体２０１、２０２の蓄積に比べたその効率によって強調される、その物理的及び／又は機能的特徴によって、既に存在する他のどの装置とも異なる。その主要な特徴は、化石燃料に取って代わることであり、化石燃料の使用によって生じる害を防止して、公益のためにより好ましい条件を与える。
【００６５】
図１〜１０から分かるように、クリーンエネルギー生成のためにガス燃料効率を最適化するための装置１は、組立て／密閉されたときに実質的に円筒形の形状を有し、後に説明するように、外部供給源２００から気体２０１を受け取り、気体を機械エネルギー発生装置３００がその後使用するために最適化するために使用される。
【００６６】
好ましくは気体２０１が酸水素及びイオン化空気の混合物を含有することを考慮に入れると、外部供給源２００は水１００の電解によって水酸素を生成するように構成されることが分かる。この事例において、外部供給源２００は、電解槽である。イオン化空気の生成のために、第２外部供給源又はシリンダを使用できる。
【００６７】
明らかに、電解槽の使用は、単に好ましい構成であり、水素系ガスを発生できる他の任意の燃料電池を使用できる。
【００６８】
代替的に、電解槽を与圧水素又はその他の水素系ガスのコンテナに代えることが可能であり、コンテナは、例えば、流量制御弁によって減圧室／フラスコに流体的に接続されて、クリーンエネルギー生成のために気体を最適化するための装置１が、本発明の教示に従ってこれらの気体を受け取って、最適化し、クリーンエネルギーを生成できるようにする。
【００６９】
別の代替的な構成は、本発明の対象である装置１による最適化ガス（水素原子のエネルギー状態の低減及びこれに応じた分子の核の運動エネルギーの増大による）２０２とのその後の混合のために、機械エネルギー発生装置３００の中へ酸化要素を別個に注入できるようにする。
【００７０】
代替的に、クリーンエネルギー生成のために気体を最適化するための装置１は、機械エネルギー発生装置３００において、ガソリン、天然ガス、ＬＰＧ、バイオガス又は低炭化水素連鎖（オットーサイクル）若しくはディーゼル及びバイオディーゼル（ディーゼルサイクル）から得られる他の任意の気体などの他の燃料と一緒に使用できる。このハイブリッド構成において、装置１は、燃料（ガソリン又はディーゼル）の注入が少なくて済み、機械エネルギー発生装置３００において高パワーを維持するので、燃料節約装置として作用する。
【００７１】
更に図１０を参照すると、クリーンエネルギー生成のために気体を最適化するための装置１は、外部供給源２００から気体を受け取り、水素原子のエネルギー状態の低減及びこれに対応するその分子の核の運動エネルギーの増大によって、気体の最適化を促進して、気体２０２を生成する。
【００７２】
外部供給源２００は、供給源２００が電解槽である場合、水タンク１００に接続できる点に留意することは重要である。同様に、外部供給源２００は、必要であれば間欠的に使用可能な電源５００に電気的に接続される点が留意される。電解プロセスを開始するために、電源５００は、外部供給源２００へ初期電流を供給し、その後、外部供給源２００から遮断される。外部供給源２００の電解プロセスを作動し続けるために、機械エネルギー発生装置３００に接続された電流発生装置４００は、外部供給源２００に直接接続される。代替的に、電流発生装置４００は、電源５００に動力を再供給できる。
【００７３】
このように、外部供給源２００からの気体２０１の中に在る酸水素の発生プロセスは、継続的に実施されるので、水素原子のエネルギー状態の低減及びこれに応じた機械エネルギー発生装置３００によって使用されるその分子２０２の核の運動エネルギーの増大によって最適化された気体の発生が継続的に実施されることが分かる。エネルギーバランス及びエネルギー変換は、クリーンエネルギー生成のために気体を最適化するための装置１を使用するシステム内で継続的に実施される点が留意される。
【００７４】
上述のように、気体２０１の最適化は、この気体２０１の分子を可変的な強さ、向き、方向及び極性の磁場に持続的かつ反復的に曝露することを通じて生じ、この曝露を、水素原子並びにイオン化空気の中に含有される酸素及びアルゴンのイオンの移動の加速のプロセス、体積膨張のプロセス、及び、温度上昇のプロセスと組み合わせて、このコンディショニングサイクルを充分な回数反復し、これによって、エネルギー効率の増大規模を最大限にして、得られた増大を、その後のレドックスプロセスにおいてガス燃料が使用され切るまで、充分な時間安定的に維持するようにする。
【００７５】
このプロセスは、下で更に詳しく説明するように、本発明の対象である装置１の特有の新規な発明的特徴によってのみ可能になる点を強調することは重要である。
【００７６】
本発明の対象であるシステムの基本作動について説明したので、次に、水素原子のエネルギー状態の低減並びにこれに対応するイオン化空気の中の酸素及びアルゴンのイオンとの水素分子の核の運動エネルギーの増大によって気体２０１を最適化する、クリーンエネルギー生成のために気体を最適化するための装置１の構造的及び機能的特徴について説明する。
【００７７】
図２及び３は、クリーンエネルギー生成のために気体を最適化するための装置１の分解図であり、その構成要素を図解する。装置１は、膨張室１０と、加熱塔２０と、バー３１を備える磁性核３０と、１セットの入口ダクト４１と、１セットの出口ダクト４２と、外部ケーシング５０と、入口ガスの分配室５１と、出口ガスの分配室５２と、を備えることが分かる。
【００７８】
好ましい構成において、磁性核３０、入口及び出口ダクトのセット４１、４２及び入口ガス及び出口ガスの分配室５１、５２は、ステンレス鋼ＡＩＳＩ３１６若しくは３１６Ｌ、セラミック、ナイロン、ＡＢＳ，ポリエステルなどのエンジニアリングポリマー、又は、その他の非磁気金属合金から作られる。
【００７９】
図４Ａ及び４Ｂから分かるように、入口ダクトのセット４１、４２は、それぞれ、複数の入口ダクト４１ａ及び出口ダクト４２ａを有する。好ましくは、装置１は、少なくとも７つの入口ダクト４１ａと、少なくとも６つの出口ダクト４２ａを有し、極性化及び再編成のプロセスが少なくとも６回行われるようにする。
【００８０】
ダクト４１ａ、４２ａの数が多ければそれだけ、クリーンエネルギー生成のためのガス燃焼効率の最適化が向上することが分かるはずである。言い換えると、ダクト４１ａ、４２ａの数を増大することによって、入口ダクト４１ａと出口ダクト４２ａとの間の流れの交替及び磁場３５への曝露も増大する。したがって、気体２０１の動的膨張及び熱膨張並びに磁気曝露も増大し、そのような膨張及び曝露は、クリーンエネルギー生成のためのガス燃焼効率の最適化も向上する。
【００８１】
好ましい構成において、ダクト４１ａ、４２ａは、下で更に説明するように、実質的に螺旋形状を持ち、相互に対称的であり、それぞれの入口フランジ４５及び出口フランジ４６から突出して、磁性核３０に対して比例的な長さを有する。
【００８２】
ダクト４１ａ及び４２ａは、約９ｍｍ（ミリメートル）の直径を有し、フランジ４５、４６からダクト４１ａ、４２ａの端部まで計測した直線長さは約３６０ｍｍ（ミリメートル）であり、ダクト４１ａ、４２ａの各々は、約１２０ｍｍ（ミリメートル）の段を伴う３６０度の３回転を有する。明らかに、これは、好ましい構成に関するものであり、代替的に、ダクト４１ａ、４２ａの長さを考慮する限り、異なる回転数及び段を採用できる。
【００８３】
ダクト４１ａ、４２ａの長さが大きくなると、それだけ磁場３５への曝露が大きくかつ長くなり、このような曝露は、クリーンエネルギー生成のためのガス燃焼効率の最適化を向上する点に留意すべきである。
【００８４】
好ましくは、本発明の対象である装置１の使用者がクリーンエネルギー生成のためのガス燃焼効率の最適化を向上したい場合、動的膨張及び熱膨張並びに磁気曝露のプロセスを比例的に増大して、その結果クリーンエネルギー生成のためのガス燃焼効率の最適化を比例的に向上するように、ダクト４１ａ、４２ａの数、各バー３１のクラスタの数を増大すること及びダクト４１ａ、４２ａの長さを増大することを検討することになる。
【００８５】
これは単に好ましい構成に関するものなので、上記の測定値は、限定的なものではないことが分かる。機械エネルギー発生装置３００又は外部供給源２００のタイプに応じて、上記の要素の寸法を比例的に定め直すことができる。
【００８６】
後に説明するように、長さは、クリーンエネルギー生成のために気体を最適化するための装置１を構成する要素を組み込む、外部ケーシング５０の長さより小さくなければならない。
【００８７】
外部ケーシング５０は、ステンレス鋼ＡＩＳＩ３１６若しくは３１６Ｌ、セラミック、ナイロン、ＡＢＳ，ポリエステルなどのエンジニアリングポリマー、又は、その他の非磁性金属合金から製造できる。
【００８８】
採用される螺旋形状は、好ましくは、可変的な強さ、向き、方向及び極性の最大数の磁場３５が、ダクト４１ａ、４２ａ内の気体２０１の原子の移動に対して、直角に作用できるようにする点を強調することが重要である。磁場３５と気体２０１の原子との間の大きな相互作用は、下で説明するように、気体２０１中の、特に、酸水素ガス及びイオン化空気からの、水素原子並びにイオン化空気に含有される酸素及びアルゴンのイオンの加速を可能にする。
【００８９】
代替的に、ダクト４１ａ、４２ａは、磁場３５がダクト４１ａ、４２ａ内の気体２０１の原子の移動に対して直角に作用できるようにする限り、他の形状タイプ（例えば、円筒形又は長方形）を採用できる。
【００９０】
別の代替例は、螺旋形のダクト４１ａ、４２ａにおける気体の分子の相対的移動と同じ効果を生じるように、直線ダクト４１ａ、４２ａ及びその長手軸の周りで回転する磁性核３０を有する環状管状形状を採用する。
【００９１】
更に、好ましい構成において、フランジ４５、４６は、約６０ｍｍ（ミリメートル）の外径及び実質的に円形形状を有し、周縁に配置された複数の溝４５ａ、４６ａを有することが分かる。図４Ａ〜４Ｄから分かるように、周縁に配置された溝４５ａ、４６ａの直径は、下に説明するように両方の要素が適切に接続できるように、入口ダクト４１ａ及び出口ダクト４２ａの直径と等しい。
【００９２】
入口ダクトのセット４１の場合、入口ダクト４１ａは、周縁に配置された複数の溝４５ａの各溝に交互に接続される。より具体的には、下で説明するように、各入口ダクト４１ａは、ある溝４５ａに接続され、これに隣接する溝４５ａは、装置１の完全な組立てまでフリーのままである。
【００９３】
同様に、出口ダクト４２のセットの場合、出口ダクト４２ａは、周縁に配置された複数の溝４６ａの各溝と交互に接続される。より具体的には、下で説明するように、各出口ダクト４２ａは、ある溝４６ａに接続され、これに隣接する溝４６ａは、装置１の完全な組立までフリーのままである。
【００９４】
ひとたび入口及び出口ダクトのセット４１、４２が形成されたら、これらが実質的に螺旋形状の複数の入口ダクト４１ａ及び出口ダクト４２ａを有することを考慮すると、セット４１、４２は実質的に円形領域を形成し、この領域に、後に説明するように、磁性核３０が同心的に隣接して次に組み立てられることが分かる。
【００９５】
図５Ａ〜５Ｃから分かるように、膨張室１０は、実質的に円筒形状を有し、フランジ４５、４６と同様、約６０ｍｍ（ミリメートル）の外径を有し、周縁に配置された複数の溝１０ａ、１０ｂ、１０ｃ、１０ｄを有する。溝１０ａ、１０ｂは、膨張室１０の一方の端部の周縁に配置され、溝１０ｃ及び１０ｄは膨張室１０の反対側の端部の周縁に配置される。
【００９６】
好ましくは、溝１０ｂ、１０ｃ、１０ｄは、約９ｍｍ（ミリメートル）の直径を有する。他方で、溝１０ａは、当初は約９ｍｍ（ミリメートル）の直径を有し、９ｍｍ（ミリメートル）の直径を有する膨張室のキャビティと接触するまで２.５ｍｍ（ミリメートル）の直径まで狭くなる。直径が狭くなりその後拡大することによって、気体２０１は、溝１０ｃに到達するまでキャビティ内部で加速して膨張する。溝１０ａ、１０ｂ、１０ｃ、１０ｄの数は、フランジ４５、４６に接続される入口ダクト１４ａ及び出口ダクト４２ａの数に比例する。
【００９７】
後に説明するように、膨張室１０は、入口フランジ４５ａに流体的に接続されるので、相互に適合する寸法を持たなければならない。これに関して、膨張室１０の外径は、約６０ｍｍ（ミリメートル）であり、長さは約８０ｍｍ（ミリメートル）であることが認められることができる。
【００９８】
これは好ましい構成に過ぎず、上記の値は限定的なものではないことが分かるはずである。機械エネルギー発生装置３００又は外部供給源２００のタイプに応じて、上記の要素の寸法を比例的に修正できる。
【００９９】
図２及び３に関して、加熱塔２０は、好ましい構成において、膨張室１０の外面に同心的に接続されることが認められることができる。加熱塔２０は、膨張室１０において認められるものと同様の寸法を有する。
【０１００】
更に好ましいことは、加熱塔２０は、膨張室１０の周りに組み立てられた約１００Ｗ（ワット）のパワーを有する環状電気抵抗である。加熱塔２０は、好ましい構成において、気体２０１、２０２を強制的に熱交換するように構成され、気体が約５５℃〜６５℃（摂氏）に達するまで対流によって加熱する。
【０１０１】
代替的に、加熱塔２０は、誘導熱伝達、蒸気、トランジスタブリッジ及び分散機による伝達、又は、その表面を加熱し、熱エネルギーを膨張室１０へしたがって膨張室１０内部へ伝達できる任意の手段によって、膨張室１０と熱交換する。
【０１０２】
図６Ａ〜６Ｅから分かるように、入口ガス及び出口ガスの分配室５１、５２は、実質的に凹面、したがって半円形を有する一方で、反対側の面は、実質的に平坦であり、下で説明するように、ダクト４１ａ，４２ａの間の接続部を収容するために複数のキャビティを有する。キャビティの数は、フランジ４５、４６に接続される入口及び出口ダクト４１ａ、４２ａの数に比例する。
【０１０３】
好ましい構成において、入口ガス及び出口ガスの分配室５１、５２の平坦面は、約７５ｍｍ（ミリメートル）の直径、約２５ｍｍ（ミリメートル）の幅を有する。直径は、入口ガスの分配室５１を出口フランジ４６に正確に接続し、膨張室１０を出口ガスの分配室５２に正確に接続するのに充分な直径である。
【０１０４】
入口ガス及び出口ガスの分配室５１、５２は、更に、投入口５１ａ及び排出口５２ａを備える。投入口５１ａ及び排出口５２ａは、下で説明するように、それぞれ外部供給源２００及び機械エネルギー発生装置３００に流体的に接続される。好ましい構成において、投入口及び排出口５１ａ、５２ａは、約２２ｍｍ（ミリメートル）の直径を有する。これは単に好ましい構成に関する値であり、これらの値は限定的ではないことが分かるはずである。機械エネルギー発生装置３００又は外部供給源２００に応じて、上記の要素の寸法は、比例的に定め直すことができる。
【０１０５】
図７Ａ及び７Ｂから分かるように、磁性核３０は、実質的に円筒形状を有し、ダクト４１ａ、４２ａの直線長さに比例的に等しい長さを有する。好ましい構成において、磁性核３０は、約３２ｍｍ（ミリメートル）の直径を有し、寸法は、入口及び出口ダクト４１ａ、４２ａが磁性核３０の外面の周りに螺旋的に隣接して延びるように、入口及び出口ダクトのセット４１、４２によって形成された実質的に円形領域に比例する。更に、上述のように、磁性核３０は、図２及び３の分解図に示すように、セット４１、４２に対して同心的に配列される。
【０１０６】
上述のように、代替的に、螺旋形のダクト４１ａ、４２ａにおける気体分子の相対的移動と同じ効果を生むように、直線ダクト４１ａ、４２ａ及びその長手軸の周りを回転する磁性核３０を有する管状環状形状を採用することも可能である。
【０１０７】
更に、好ましい形態において、図７Ａ及び７Ｂから分かるように、磁性核３０は、磁性核の長さ全体に沿って延びる少なくとも１つの実質的に円形のキャビティを有する。磁性核３０は、相互に対して交互に位置付けられた３つのキャビティを備え、それらの中心の間に約１２０°（度）の角度を形成する。キャビティは、磁気バー３１の各々を個別に受け入れるのに充分な約２０ｍｍ（ミリメートル）の直径を有する。
【０１０８】
作動時に、バー３１の各々は、磁場がダクト４１ａ、４２ａ内の気体２０１の原子の移動に対して直角に作用するように、可変的な強さ、向き、方向及び極性の磁場３５を発生するように構成される。磁場３５と気体２０１の原子との間の大きい相互作用は、下で説明するように、特に酸水素ガス及びイオン化空気からの、水素原子並びに気体２０１のイオン化空気の中に含有される酸素及びアルゴンのイオンの加速を可能にする。
【０１０９】
この発生及び相互作用を図９に示す。図９は、ダクト４１ａ、４２ａが強さ、向き、方向及び極性を有する磁場３５を可能な限り貫通することを示す。これによって、気体２０１、特に酸水素及びイオン化空気の流れのコヒーレントビームの形成を可能にする。これによって、水素原子並びに気体２０１のイオン化空気に含有される酸素及びアルゴンのイオンの加速を可能にする。このビームは、気体２０１の流れが最適化されるように形成されるので、気体２０２の混合物を、現状技術において知られる技術に比べて燃焼（レドックス）のためにより効率的にする。
【０１１０】
好ましくは、磁性核３０は、非磁気材料（ステンレス鋼ＡＩＳＩ３１６又は３１６Ｌ）から作られる一方で、バー３１は、希土類金属（ネオジム-鉄-ホウ素 Ｎｄ-Ｆｅ-Ｂ又はサマリウム-コバルトＳｍ-Ｃｏの合金など）の磁石で作られる。
【０１１１】
代替的に、バー３１は、フェライト、非永久磁石などの電磁石、電磁手段、電力回路からエネルギー供給を受け電子回路によって管理される電磁石回路、又は、磁場を発生できる現状技術において知られるその他の任意の手段から作ることができる。
【０１１２】
図８及び９に詳細に示すように、磁性核３０の３本のバー３１は、複数の磁気要素３１ａとギャップ３１ｂとを有する。磁気要素３１ａは、希土類金属（ネオジム-鉄-ホウ素 Ｎｄ-Ｆｅ-Ｂ又はサマリウム-コバルト Ｓｍ-Ｃｏの合金など）、又は、可変的な強さ、向き方向及び極性の磁場を発生できる任意のタイプの材料の磁石で作られることが好ましい。好ましい構成において、磁気要素３１ａは、約２０ｍｍ（ミリメートル）の直径及び１６ｍｍ（ミリメートル）の幅を有する。
【０１１３】
更に、好ましくは、磁気要素３１ａは、例えば極性化順序のタイプ＋−/−＋/＋−/−＋/−＋/−＋/−＋/＋−/−＋/＋−/−＋/−＋/＋−/＋−を採用して、ギャップ３１ｂと交互に配置される。これは単に好ましい構成であり、最小数のクラスタ及び最小数の極性反転の特徴が維持される限り他の極性化順序を使用でき、上述のシーケンスは限定的ではないことが分かるはずである。
【０１１４】
このような順序は、ダクト４１ａ、４２ａ内部の気体２０１と可変的な強さ、向き、方向及び極性の最大数の磁場３５との間の相互作用の強化を示すテストにおいて使用される。好ましくは、各バー３１は、３２の磁気要素３１ａを有する少なくとも１４のクラスタを有し、磁気要素は線形に配置され、各バー３１においてクラスタから少なくとも８回の極性反転を有する。
【０１１５】
各バー３１のクラスタの数が大きければそれだけ、クリーンエネルギー生成のためのガス燃焼効率の最適化が高いことが分かるはずである。言い換えると、各バー３１のクラスタ数を増大することによって、気体２０１は、ダクト４１ａ、４２ａの間に流れるときより多くの数の磁場３５に曝され、その結果、クリーンエネルギー生成のためのガス燃焼効率の最適化が向上する。
【０１１６】
好ましくは、本発明の対象である装置１の使用者が、クリーンエネルギー生成のためにガス燃焼効率の最適化を向上したい場合、ダクト４１ａ、４２ａの数、各バー３１のクラスタの数及びダクト４１ａ、４２ａの長さの増大を検討して、動的膨張及び熱膨張並びに磁気曝露を比例的に増大して、クリーンエネルギー生成のためにガス燃焼効率の最適化を比例的に向上することを検討することになる。
【０１１７】
テストは、磁性核３０が内部において９.５ＭＧ/９５０テスラ（ネオジム-鉄-ホウ素Ｎｄ-Ｆｅ-Ｂを使用する磁石の強度に等しい）の強度及び最も外側部分の磁性核３０の外面において１５ＭＧ/１.５００テスラに達する強度を有する磁場３５を発生できることを示している。
【０１１８】
上記の構成は、下で説明するようにダクト４１ａ、４２ａと磁性核３０によって発生した可変的強さ、向き、方向及び極性の最大数の磁場３５との間に高い相互作用を与えて、気体２０１、特に、イオン化空気と混合された酸水素の流れのコヒーレントビームの形成における高い効率、並びに、水素原子並びに気体２０１のイオン化空気に含有される酸素及びアルゴンのイオンの加速における高い効率、を可能にする。
【０１１９】
これは、単に好ましい構成に関するものであり、キャビティ及びバー３１の数は、装置１の寸法に応じて変動し得ることが分かる。更に、上記の測定値は限定的ではない。機械エネルギー発生装置３００又は外部供給源２００のタイプに応じて、上記の要素の寸法は比例的に定め直すことができる。
【０１２０】
上述の装置１を構成する要素は、様々な構成方法及び様々なタイプの材料で作ることができることが分かる。更に、装置１を構成する上述の要素は、要素を個別に接続することによって又は装置１の要素によって形成されたブロックを接続することによって、モジュール式に接続できる。
【０１２１】
クリーンエネルギー生成のために気体を最適化するための装置を組み立てるために、上述の全ての要素をどのように接続するかについて、次に説明する。
【０１２２】
装置１の組立は、磁気バー３１を磁性核３０のキャビティの中へ挿入することから始まる。バー３１は、キャビティの内部にあるときに異物が入ることができないように密閉されていることが重要である。
【０１２３】
上述の接続後、気体の入口及び出口ダクト４１、４２のセットが、複数の入口及び出口ダクト４１ａが磁性核３０の外面の周りに螺旋形に隣接して延びるように、磁性核３０に対して同心的に配列される。
【０１２４】
（上述のように）フリーのままの入口及び出口ダクトのセット４１、４２の周縁に配置された複数の溝４５ａ、４６ａは、それぞれ、出口ダクト４２ａ及び入口ダクト４１ａを受け入れることが分かる。このようにして、入口及び出口ダクトのセット４１、４２は相互に作動可能に接続されて、入口及び出口フランジ４５、４６が入口ダクト４１及び出口ダクト４２の両方を固定することが分かる。
【０１２５】
上記の段階の後、入口フランジ４５は膨張室１０に流体的にかつ機械的に接続され、この接続は、入口フランジ４５の周縁に配置された複数の溝４５ａと膨張室１０の周縁に配置された複数の溝１０ａ、１０ｂとの間の接続によって実施される。
【０１２６】
その後、加熱塔２０を、膨張室１０の内部に熱エネルギーを伝達できるように、膨張室１０の外面に対して同心的に接続する。
【０１２７】
その後、出口フランジ４６を、フランジ４６の周縁に配置された複数の溝４６ａと入口ガスの分配室５１の複数のキャビティとの間の接続によって、入口ガスの分配室５１に、流体的にかつ機械的に接続する。この流体的な接続が確立されると、気体２０１の流れが１つのダクトから他のダクトに流れるように、出口フランジ４６において相互に隣り合う入口ダクト及び出口ダクト４１ａ、４２ａが、入口ガスの分配室５１のキャビティによって流体的に接続されることが分かる。
【０１２８】
複数の入口ダクト４１ａのうち１つの入口ダクトのみは、出口フランジ４５において他のダクトから流体的に分離されたままである点を強調することが重要である。これは、なぜならば、複数の入口ダクト４１ａのうちこの１つの入口ダクトは、入口ガスの分配室５１の投入口５１ａに流体的に接続され、投入口５１ａは、その後気体２０１を受け取るために外部供給源２００に流体的に接続されるからである。
【０１２９】
同様に、膨張室１０は、出口ガスの分配室５２に流体的にかつ機械的に接続される。この流体的な接続が確立されると、気体２０２の流れが１つのダクトから他のダクトへ流れるように、膨張室１０において相互に隣り合う入口ダクトと出口ダクト４１ａ、４２ａが、周縁に配置された複数の溝１０ｃ、１０ｄと出口ガスの分配室５２の複数のキャビティとの間の接続によって流体的に接続されることが分かる。
【０１３０】
複数の出口ダクト４２ａのうち１つの出口ダクトのみは、膨張室１０において他のダクトから流体的に分離されたままである点を強調することが重要である。これは、なぜならば、複数の出口ダクト４２ａのうちこの１つの出口ダクトは、出口ガスの分配室５２の排出口５２ａに流体的に接続され、排出口５２ａは、その後、最適化ガス２０２を使用する機械エネルギー発生装置３００に流体的に接続されるからである。
【０１３１】
更に、上記の全ての要素が、外部ケーシング５０に同心的にかつ作動可能に接続される点が指摘される。外部ケーシングの目的は、クリーンエネルギー生成のために気体を最適化するための装置１を構成する全ての要素をシールすることである。外部ケーシング５０は、入口及び出口ガスの分配室５１、５２と一緒に、異物が進入できないように且つ最適化された気体２０１が装置１から出て行けないように、外部環境に対して完ぺきに密閉されるようにする。この特徴は、外部供給源２００及び機械エネルギー発生装置３００に結合される装置１からかなり高い性能を得られるようにする。
【０１３２】
更に、クリーンエネルギー生成のために気体を最適化するための装置１は、防爆逆止弁（図示せず）を含むことができる。
【０１３３】
ひとたびクリーンエネルギー生成のために気体を最適化するための装置１が組み立て／密閉されたら、入口ダクトのセット４１は、膨張室１０との間に流体連通を且つ加熱塔２０との間に熱連通を確立し、膨張室１０は、出口ダクトのセット４２との間に流体連通を確立し、出口ダクトのセット４２は、入口ダクトのセット４１との間に流体連通を確立することが分かる。
【０１３４】
外部供給源２００からの気体２０１は、入口ガスの分配室５１の投入口５１ａを介して複数の入口ダクト４１ａのうち１つの入口ダクトの中へ注入され、気体２０１は、入口ダクトのセット４１の入口ダクト４１ａと出口ダクトのセット４２の出口ダクト４２ａとの間及びその逆の流れを交互に確立する。
【０１３５】
入口ダクト４１ａを流れる気体２０１は、気体２０１、特に、酸水素及びイオン化空気の流れのコヒーレントビームが形成されるように、磁性核３０のバー３１によって発生した可変的強さ、向き、方向及び極性の最大数の磁場３５と最大相互作用を確立することが分かる。この相互作用及び最大数の磁場の強化は、水素原子及びイオン化空気に含有される酸素及びアルゴンのイオンの効率的加速を可能にする。
【０１３６】
作動時に、動的膨張は、複数の入口及び出口ダクト４１ａ、４２ａを通過しその後膨張室１０のより小さい直径の孔を通過する、気体２０１の流れから始まる。この通過は、気体分子２０１の移動の加速を可能にする。孔を通過するとき、気体２０１は、より大きい直径及び体積を有する膨張室へ進入し、ここで、気体の分子は、再び加熱塔２０へ導かれて、加熱塔において加熱される。
【０１３７】
その後、気体分子２０１は、引き続きダクト４１ａ、４２ａを通過して流れ、別の孔を通過して、再び、加速、膨張及び熱交換の同じプロセスを、その排出まで連続的に経る。
【０１３８】
熱膨張に関して、酸水素が動的膨張室１０に在る孔を通過するとき、酸水素は約６０℃まで加熱されて、この時点で互いに混合される水素分子及び酸素分子の両方が熱及び体積上昇に曝される、何故ならば、２つの元素の体積は加熱によって増大するからである。この段階は、排出までのプロセスの間、数回繰り返される。
【０１３９】
磁気曝露に関して、水素原子は、静電力によって測定される＋及び−軌道を有し、この軌道の半径は、原子の電子の中に蓄積された位置エネルギーのレベルを画定し、電子の軌道半径の増大においてエネルギーを吸収し又は減少においてエネルギーを放出して、この軌道に対する磁気作用が大きければ、それだけ、軌道半径の減少は大きく、したがってこれらの軌道の各々に在る電子に蓄積される位置エネルギーの放出が増大する。このために、気体２０１は、数えきれない回数、複数の入口及び出口ダクト４１ａ、４２ａ及び動的膨張室１０の孔を通過する。膨張のたびに、軌道は、各々１４磁場（クラスタ）を有する３本のバーに分配された可変的強さ、向き、方向及び極性を有する４２の磁場を通過する。バーは、本発明の対象である装置１の磁性核３０の中に収容される。効果の効率を保証するために、水素原子並びにイオン化空気に含有される酸素及びアルゴンのイオンは加速され、これが水素原子の電子の軌道半径の減少を促進し、電子からの位置エネルギーの放出及びこれに応じた気体２０１の分子の核からの運動エネルギーの増大を可能にする。
【０１４０】
基本的に、最適化された気体は、気体２０２がその圧力を減少し、その体積及び温度を増大するように、膨張室１０及び加熱塔２０を通過して流れる。圧力が減少し、体積及び温度が増すと、気体２０２、特に好ましい構成において酸水素は、その液体形態へ戻らず、気体２０１の磁気的及び分子的な再編成及び極性化のプロセスを続行できる。
【０１４１】
膨張室１０及び加熱塔２０を通過した後、気体２０２は、出口ダクト４２ａによって出口ガスの分配室５２へ戻り、それによって、気体２０２の流れが入口ダクト４１ａへ戻れるようにし、上記のプロセスを再スタートできる。
【０１４２】
気体２０１、２０２の水素原子及び空気に含有される酸素及びアルゴンのイオンの一定加速のプロセスは、圧力の減少、体積及び温度の増加を生じ、水素原子及びイオン化空気に含有される酸素及びアルゴンのイオンによって構成された気体の回帰が少なくとも６回実施される。
【０１４３】
上記の段階が少なくとも６回実施された後、最適化ガス２０２は、複数の出口ダクト４２ａのうち１つの出口ダクトへ流れ、その後、機械エネルギー発生装置３００によって使用される出口ガスの分配室５２の排出口５２ａへ流れることが分かる。
【０１４４】
上記のことから、上記の方法の基本的ステップは下記のように見ることができることが分かる。即ち、
−磁性核３０の外面の周りに隣接して入口及び出口ダクトのセット４１、４２を配列する
−入口ダクトのセット４１と膨張室１０との間に流体連通を及び加熱塔２０との間に熱連通を確立する
−膨張室１０と出口ダクトのセット４２との間に流体連通を確立する
−出口ダクトのセット４２と入口ダクトのセット４１との間に流体連通を確立する
−気体２０１を入口ダクトのセット４１の中へ入れる
−気体２０１が動的に膨張するように入口ダクト４１ａと出口ダクト４２ａとの間及びその逆の気体２０１の流れを交互に確立する
−入口ダクト４１ａと出口ダクト４２ａとの間の流れごとに気体２０１を熱膨張させる
−入口ダクト４１ａと出口ダクト４２ａとの間及びその逆の流れごとに気体２０１を磁場３５の磁気に曝す。
【０１４５】
本明細書において広範囲に説明したように、機械エネルギー発生装置３００又は外部供給源２００のタイプに応じて、装置１を構成する要素の寸法は比例的に定め直すことができることを再度強調することが重要である。
【０１４６】
更に、本発明に関連して、以下の要素についてテストが実施されたことが認められる。即ち、
Ｉ）１６０Ｗｈ（１２ボルト／１３アンペア）を供給できるバッテリ及び外部供給源２００として水の供給を受ける公称効率６６％の電解槽
ＩＩ）電解槽に流体的に接続されかつ別の供給源からイオン化空気を受け取る、クリーンエネルギー生成のためにガス燃焼効率を最適化するための装置１
ＩＩＩ）機械エネルギー発生装置３００として公称効率約３０％の発電機
ＩＶ）電流発生装置４００としての直流発生器
Ｖ）発電機に電気的に接続された抵抗チャージ及び電気装置−シャワー（７.３７０ワット（Ｗ））、照明（３００ワット（Ｗ））、オーブン（８００ワット（Ｗ））及びドリル（７５０ワット（Ｗ））
【０１４７】
テスト中、電解プロセスを開始するために１６０Ｗｈを供給するとき、電解槽は、１０７Ｗｈのエネルギー及び３.２グラムの水素ガスＨ2を生成したことが観察された。水素ガスＨ2は、装置１へ流れ、ここで、イオン化空気と混合された。気体２０１、２０２の再編成及び極性化の段階が少なくとも６回実施された後、装置１は、注入ガスのエネルギーを２９６倍増大して、３１,６００Ｗｈにした。このエネルギーは発電機に供給され、発電機は、発電機に電気接続された充電及び電気装置に動力を与えるために９,４８０Ｗｈを生成した。酸素、水素及び水の消費は、著しく減少し、本発明の対象である装置１を使用することによってこれらの充電及び電気装置にエネルギーを供給するために、約２８.８ミリリットル／時の水Ｈ2Ｏのみ必要であったことが分かった。
【０１４８】
上述の要素に基づき、校正証明書ＲＢＣ-ＩＮＭＥＴＲＯ  ＮoＭ−４９４７２／１４に従って、熱伝導率検出器を有し標準質量まで追跡可能なガスクロマトグラフィの分析が、２０１６年７月１４日にＷｈｉｔｅ  Ｍａｒｔｉｎｓ  Ｐｒａｘａｉｒ  Ｉｎｃ．社によって実施された（証明書Ｎｏ．１６０１２）。この分析は、装置１が、水素ガスＨ2を０.２％、酸素ガスＯ2を１８.２％、窒素ガスＮ2を６３.１％、二酸化炭素ガスＣＯ2を０.１％、及び、示度においてメタン、エタン、エチレン、プロパン、イソブタン、ｎ-ブタン及び一酸化炭素を０.０１％未満（使用された方法の精度）受け取ることを立証した。
【０１４９】
気体の再編成及び極性化の動作において、結果は、装置１が、水素ガスＨ2０.３％、酸素ガスＯ2１７.５％、窒素ガスＮ2６２％、二酸化炭素ガスＣＯ2０.１％、及び、示度においてメタン、エタン、エチレン、プロパン、イソブタン、ｎ-ブタン及び一酸化炭素０.０１％未満（使用された方法の精度）の排出を有したことを立証した。
【０１５０】
再編成され極性化された気体は、その後、燃焼（レドックス）及び機械エネルギーの発生のために発電機に導かれる。発電機を駆動する内燃機関の排気から得た計測の結果は、水素ガス（Ｈ2）０％、酸素ガス（Ｏ2）１７.７％、窒素ガス（Ｎ2）６３.７％、二酸化炭素ガス（ＣＯ2）０.３％、及び、示度においてメタン、エタン、エチレン、プロパン、イソブタン、ｎ-ブタン及び一酸化炭素０.０１％未満が、発電機の内燃機関の排気によって放出された（使用された方法の精度）ことを示した。
【０１５１】
更に、上記の要素を考慮に入れて、質量分析が、２０１６年１０月３０日に、Ｃｅｎｔｒｏ  ｄｅ  Ｔｅｃｎｏｌｏｇｉａ  ｄａ  Ｉｎｆｏｒｍａｃａｏ  Ｒｅｎａｔｏ  Ａｒｃｈｅｒ（ＣＴＩ）によって実施され（サービスオーダー  Ｏ  １４／０５６２）、Ｍｓｃ．Ｔｈｅｂａｎｏ  Ｅｍｉｌｉｏ  ｄｅ  Ａｌｍｅｉｄａ  Ｓａｎｔｏｓ（技術者-物理学者）の署名を受けた。この分析は、高真空システム（約２×１０-7トール／２６６.６５×１０-7Ｐａ）の中の気体を分析する残留ガスアナライザを使用した。気体は、アンプルで収集され、その後、既定の体積を有し制御された流量を有するプレチェンバを介してこのシステムの中に注入された。この分析は、本発明の対象である装置によって生成された気体が、低い原子質量を有し、大気として（Ｎ2、Ｏ2、ＣＯ2、アルゴン及び水蒸気）好ましいことを立証した。
【０１５２】
本発明の対象である装置１の入口における測定結果は、装置１が、大気（Ｎ2、Ｏ2、ＣＯ2及びアルゴン）３０.４％、水素ガスＨ2２９.２％及び水蒸気４０.４％を受け取ることを立証した。
【０１５３】
気体の再編成及び極性化の動作において、結果は、装置１は、排出口において、大気（Ｎ2、Ｏ2、ＣＯ2及びアルゴン）１９.８％、水素ガスＨ2７５.４％、水蒸気４.８％及び塩化水素ガス０.１％を有することを立証した。
【０１５４】
再編成され極性化された気体は、その後、燃焼（レドックス）及び機械エネルギー発生のために発電機へ導かれる。発電機を駆動する内燃機関の排気の測定結果は、大気（Ｎ2、Ｏ2、ＣＯ2及びアルゴン）２１.４％、水素ガスＨ2３１.６％、水蒸気４６.７％及び塩化水素ガス０.２％の存在を立証している。
【０１５５】
上記の気体の分析に使用された設備の精度内（０.０５％）で、大気又はメタンに通常予測される値を超える一酸化炭素（ＣＯ）及び二酸化炭素（ＣＯ2）の存在を検出できなかった。上記のテストに使用されたアンプルは、いくつかの原子質量について部分圧力の飽和値（７.０×１０-7トール／９３３.２５×１０-7Ｐａ）を有した点を強調することが重要である。更に、設備の質量検出限度（原子質量２００単位）内で、化石燃料の存在を検出できなかった。これは、一酸化炭素（原子質量２８）及び二酸化炭素（原子質量４４）の兆候がないことからも確認できる。
【０１５６】
これらのテスト結果は、明らかに、エネルギー源としての水素ガスＨ2の使用が、クリーンで低コストかつ豊富なエネルギーである代替源に対する緊急の必要に応える可能性を有することを示している。また、本発明において実施される水素の燃焼／レドックスのプロセスは、汚染ガスを放出しないことが明らかである。このプロセスは、上述のように、クリーンエネルギーである代替源であり、多様な分野において使用可能である。
【０１５７】
好ましい実施形態の例について説明したが、本発明の範囲は、他の可能な変形にまで及ぶものであり、可能な同等物を含めて特許請求の範囲の内容によってのみ限定されることが分かるはずである。
【図１】
2019504272.tif 000004
【図２】
2019504272.tif 000005
【図３】
2019504272.tif 000006
【図４Ａ】
2019504272.tif 000007
【図４Ｂ】
2019504272.tif 000008
【図４Ｃ】
2019504272.tif 000009
【図４Ｄ】
2019504272.tif 000010
【図５Ａ】
2019504272.tif 000011
【図５Ｂ】
2019504272.tif 000012
【図５Ｃ】
2019504272.tif 000013
【図６Ａ】
2019504272.tif 000014
【図６Ｂ】
2019504272.tif 000015
【図６Ｃ】
2019504272.tif 000016
【図６Ｄ】
2019504272.tif 000017
【図６Ｅ】
2019504272.tif 000018
【図７Ａ】
2019504272.tif 000019
【図７Ｂ】
2019504272.tif 000020
【図８】
2019504272.tif 000021
【図９】
2019504272.tif 000022
【図１０】
2019504272.tif 000023
【国際調査報告】
2019504272.tif 000024
2019504272.tif 000025
2019504272.tif 000026